(57)【特許請求の範囲】
【請求項１】
土石流などの流れ方向の上流側と下流側とにそれぞれ複数本立てられる鋼製支柱を水平な繋ぎ材で縦、横方向に剛結して成る鋼製砂防ユニットが、堰堤の基礎コンクリート上に、前記の鋼製支柱を固定して、堰堤の横断方向に間隔をあけて配置されているオープン型鋼製砂防堰堤において、
隣合う鋼製砂防ユニットの相互間の間隔をあけた部位に、同間隔部分を遮るように張出部が設けられていることを特徴とする、オープン型鋼製砂防堰堤。
【請求項２】
張出部は、鋼製砂防ユニットを構成する上流側の鋼製支柱を横方向に剛結する繋ぎ材の延長方向へ同繋ぎ材が突き出すように設けられていることを特徴とする、請求項１に記載したオープン型鋼製砂防堰堤。
【発明の詳細な説明】
【０００１】
【発明の属する技術分野】
この発明は、流れ下る土石流や流木の捕捉、減勢を目的として所謂砂防ダムの堰堤部分に、鋼製砂防ユニットを、堰堤の横断方向に間隔をあけて固定してなるオープン型鋼製砂防堰堤の技術分野に属する。
【０００２】
【従来の技術】
オープン型鋼製砂防堰堤は、例えば実公昭５５−１０４３６号、特公平５−２０５０号公報などに記載されて公知に属し、実施例もある。
【０００３】
前記実公昭５５−１０４３６号公報に記載されたオープン型鋼製砂防堰堤は、鋼製支柱と鋼製控え材とを、各々の頭部を山形、門形のように連結した平面的構成の鋼製砂防ユニットを、堰堤の横断方向に間隔をあけて複数配置し、基礎コンクリートに固定した構成である。
【０００４】
特公平５−２０５０号公報に記載されたオープン型鋼製砂防堰堤は、３本以上の鋼製支柱が同一平面上に並ばないように間隔をあけて配置し、各支柱を水平な繋ぎ材で連結してなる鋼製砂防ユニットを、堰堤の横断方向に間隔をあけて複数配置し、基礎コンクリートに固定した構成である。
【０００５】
要するに、オープン型鋼製砂防堰堤は、土石流や流木の捕捉、減勢を目的として設置される施設で、事後には堰堤に捕捉された土石や礫、流木などを重機で取り除いてオープンダムとしての機能が低下しないように手入れを行うものでもある。
【０００６】
【本発明が解決しようとする課題】
上記実公昭５５−１０４３６号公報に記載されたオープン型鋼製砂防堰堤の場合、鋼製砂防ユニットが平面的構成であるため、堰堤の横断方向や斜め横方向の外力に対する強度が乏しいという問題点がある。
【０００７】
上記の特公平５−２０５０号公報に記載されたオープン型鋼製砂防堰堤の場合は、強度上の問題はないが、施工上に次のような問題点がある。
【０００８】
即ち、鋼製砂防ユニットは、これを構成する鋼製支柱を例にとると、その外径は６０cm程度、高さ（長さ）は７ｍにも及ぶほど大きな鋼構造物であり、陸上運搬が大変なことはもとより、大変高価なものである。従って、オープン型鋼製砂防堰堤の施工に関しては、施工費用の低減は大きな努力目標である。
【０００９】
従って、図１又は図３のように不透過部１１を切り欠いた形に形成した堰（堰堤７）の開口幅Ｌに対して鋼製砂防ユニットの割り付けを検討するとき、鋼製砂防ユニットの個数は少ないほど有利である。
【００１０】
本発明の目的は、堰堤の開口幅に対して鋼製砂防ユニットの割り付けの設計が容易で、且つ鋼製砂防ユニットの必要個数を節減でき、施工が容易で、工事費用の節約が図れるオープン型鋼製砂防堰堤を提供することである。
【００１１】
【課題を解決するための手段】
上記の課題を解決するための手段として、請求項１記載の発明に係るオープン型鋼製砂防堰堤は、土石流などの流れ方向の上流側と下流側とにそれぞれ複数本立てられる鋼製支柱が水平な繋ぎ材で縦、横方向に剛結されて成る鋼製砂防ユニットが、堰堤の基礎コンクリート上に前記の鋼製支柱を固定して、堰堤の横断方向に間隔をあけて配置されているオープン型鋼製砂防堰堤において、
隣合う鋼製砂防ユニットの相互間の間隔をあけた部位に、同間隔部分を遮るように張出部が設けられていることを特徴とする。
【００１２】
請求項２に記載した発明は、請求項１に記載したオープン型鋼製砂防堰堤における張出部が、鋼製砂防ユニットを構成する上流側の鋼製支柱を横方向に剛結する繋ぎ材の延長方向へ同繋ぎ材が突き出すように設けられていることを特徴とする。
【００１５】
【発明の実施形態及び実施例】
以下、図示した本発明の実施形態及び実施例を説明する。
【００１６】
請求項１、２記載の発明に係るオープン型鋼製砂防堰堤は、図１〜図６に実施例を示したように、土石流などの流れ方向の上流側と下流側とにそれぞれ複数本立てられる鋼製支柱１と２を、水平な繋ぎ材３、４で縦、横方向に剛結して成る鋼製砂防ユニット５、６が、堰堤７の基礎コンクリート８上に前記の鋼製支柱１及び２を固定して、堰堤７の横断方向に間隔Ｓをあけて配置されている構成において、隣合う鋼製砂防ユニット５と５、又は５と６相互間の間隔をあけた部位Ｓに、同間隔部分Ｓを遮るように張出部１０を設けた形態で実施される。
【００１７】
張出部１０を設ける位置、形態は任意の設計事項であるが、図示例の場合は、望ましい実施形態として鋼製砂防ユニット５、６を構成する上流側の鋼製支柱１を横方向に剛結する繋ぎ材４の延長方向へ、同繋ぎ材が突き出すように設けられている（請求項２記載の発明）。従って、鋼製砂防ユニット５、６の間隔Ｓをあけた部位も、実質的に土石流に含まれる礫や流木等を捕捉する格子状の遮蔽効果が奏される。よって、堰堤７の横断方向に間隔Ｓをあけて配置された鋼製砂防ユニット５、６相互間の前記間隔Ｓは、土石流に含まれる礫の最大径に近似の大きさ（図示例の場合は、一例として１ｍの間隔）とされている。他方、前記張出部１０の突き出し長さＰは３５０mmとされている。
【００１８】
因みに、図１〜図３は上流側の鋼製支柱１及び下流側の鋼製支柱２が共に２本ずつで、各鋼製支柱１、２の堰堤の横断方向（図１の左右方向）の間隔Ｗは、土石流に含まれる礫の最大径に近似（通例は礫の最大径に等しく、場合によっては最大径野１．５倍程度までの範囲を含む。）の間隔（一例として１ｍの間隔）で配置された鋼製砂防ユニット５（以下偶数型ユニット５という場合がある。）のみによるオープン型鋼製砂防堰堤の実施例を示している。
【００１９】
一方、図４〜図６は前記の鋼製砂防ユニット５（偶数型ユニット）が左右両側に配置され、中央には上流側の鋼製支柱１が３本で、該鋼製支柱１の堰堤の横断方向（図１の左右方向）の間隔Ｗは、やはり土石流に含まれる礫の最大径に近似の間隔（一例として１ｍの間隔）で配置され、下流側の鋼製支柱２は２本で構成された鋼製砂防ユニット６（以下奇数型ユニット６と言う場合がある。）を配置した混成型のオープン型鋼製砂防堰堤の実施例を示している（以上、請求項２の発明）。
【００２０】
つまり、図４〜図６の実施例は、コンクリート等で構築された不透過部（堤）１１の一部を切り欠いた形に形成された堰堤７の開口幅Ｌは、現地の条件に応じてまちまちであることを考慮して、同開口幅Ｌが偶数型ユニット５のみによる割り付けに不都合なとき、奇数型ユニット６を組み合わせた混成型として合理的に対処する実施例である。因みに図１は開口幅Ｌが６ｍであるのに対して、図４は開口幅Ｌが１２ｍの実施例である。鋼製支柱１、２及び繋ぎ材３、４並びに張出部１０には、それぞれ外径が６０mmで、肉厚が１４〜２０mm程度の鋼管が使用されている。各々の端部開口は防錆処理のため密閉されている。各鋼管支柱１、２の下端にはベースプレート１２が取り付けられ、これが堰堤の基礎コンクリート１３の中に埋め込まれ強固に固定されている。
【００２１】
上記のように大形の鋼構造物である鋼製砂防ユニット５、６の陸上運搬、及び現地での組み立てを容易ならしめるため、各鋼製砂防ユニットを構成する鋼製支柱に繋ぎ材の中間部を分断した半製品を予め工場で加工し溶接した分割ブロックとして製作し、現地では各分割ブロックの繋ぎ材同士をフランジ継手１４により一体的に接合して組み立てる構成とされている。
【００２２】
なお、堰堤７を形成する不透過部１１の内壁面と、これに隣接する鋼製砂防ユニット５との間にも間隔Ｍがあけられている。但し、この間隔Ｍは、通例土石流に含まれる礫の最大径の１／２程度とし、最大でも礫径と等しい程度とする。図示例の場合、前記の間隔Ｍは図１の場合で３０cm、図４の実施例では９０cmの大きさとされている。従って、前記張出部１０を設ける分だけ、鋼製砂防ユニット５、６相互間の間隔（１ｍ）を大きくして距離を稼げることを理解されるであろう。
【００２３】
【発明が奏する効果】
本発明に係るオープン型鋼製砂防堰堤によれば、鋼製砂防ユニット相互間の間隔をあけた部位に張出部を設けたが故に、当該間隔を大きく設計、施工でき、それだけ堰堤の横断方向に関する鋼製砂防ユニットの割り付け数を有効的に削減して経済的に施工できる。しかも、鋼製砂防ユニットは偶数型ユニットのみならず、奇数型ユニットと組み合わせた混成型の設計、施工を行えるので、現地での施工の工数を節減し、或いは鋼製砂防ユニットの必要数を合理的に節減して経済性を高めることができるのである。
【図面の簡単な説明】
【図１】本発明に係るオープン型鋼製砂防堰堤の実施例を示した正面図である。
【図２】図１の２−２線矢視の側面図である。
【図３】同上の平面図である。
【図４】オープン型鋼製砂防堰堤の異なる実施例を示した正面図である。
【図５】図４の５−５線矢視の側面図である。
【図６】同上の平面図である。
【符号の説明】
１        鋼製支柱
２        鋼製支柱
３        繋ぎ材
４        繋ぎ材
５        鋼製砂防ユニット
６        鋼製砂防ユニット
７        堰堤
１１      基礎コンクリート
Ｓ        間隔
１０      張出部
Ｗ        鋼製支柱の間隔
【図１】
0003992356.tif 000002
【図２】
0003992356.tif 000003
【図３】
0003992356.tif 000004
【図４】
0003992356.tif 000005
【図５】
0003992356.tif 000006
【図６】
0003992356.tif 000007